(57)【要約】【課題】ユーザに対し割り当てられた印刷可能個数を用いて所望の他の印刷装置においても印刷物の作成を実行可能とする。【解決手段】プリンタ１Ａは、ユーザＩＤごとの印刷可能枚数を記憶したメモリ１４４と、ＮＦＣ用通信部１４１と、制御回路１４３と、を有し、制御回路１４３は、ユーザＩＤごとに生成する印字ラベルの枚数の最大値を対応する印刷可能枚数に制限し、タグカードＣのかざしによる特定のユーザＩＤの指定を受け付け、プリンタ１Ａへの他のプリンタ１Ｂの近接によってプリンタ１Ａ，１ＢのＮＦＣ用通信部１４１のＮＦＣ通信が確立すると、プリンタ１Ａのメモリ１４４に記憶された指定されたユーザＩＤの印刷可能枚数の少なくとも一部を、ＮＦＣ通信を介して他のプリンタ１Ｂへと移動配分する。【選択図】図６
2020049888.tif 000002
【特許請求の範囲】
【請求項１】
被印字媒体を搬送する搬送手段と、
搬送される前記被印字媒体に対して所望の印字を形成する印字手段と、
ユーザ識別情報ごとの印刷可能個数を記憶した記憶手段と、
第１無線通信を行う第１通信手段と、
制御手段と、
を有し、
前記制御手段は、
前記搬送手段及び前記印字手段を制御し、印刷データに対応した印字を前記被印字媒体に形成して印刷物を生成する印字形成処理；
前記ユーザ識別情報ごとに、前記印字形成処理において生成する前記印刷物の個数の最大値を、対応する前記印刷可能個数に制限する個数制限処理；
前記印字形成処理の実行後には、実行前における前記印刷可能個数から、生成した前記印刷物の個数を差し引くことで、当該印刷可能個数を更新する更新処理；
を実行する印刷装置であって、
前記制御手段は、さらに、
特定の前記ユーザ識別情報の指定を受け付ける、指定受付処理と、
前記記憶手段、前記第１通信手段、を備えた他の印刷装置の近接によって、前記印刷装置の前記第１通信手段と前記他の印刷装置の前記第１通信手段との前記第１無線通信が確立したか否かを判定する確立判定処理；
前記第１無線通信が確立したと判定された場合に、前記印刷装置の前記記憶手段に記憶された前記特定のユーザ識別情報に対応する前記印刷可能個数のうち少なくとも一部を、前記確立した前記第１無線通信を介して前記他の印刷装置へと移動配分するか、若しくは、当該他の印刷装置の前記記憶手段に記憶された前記特定のユーザ識別情報に対応する前記印刷可能個数の少なくとも一部を、前記確立した前記第１無線通信を介して前記印刷装置へと移動配分する、個数移動処理；  
を実行する
ことを特徴とする印刷装置。
【請求項２】
請求項１記載の印刷装置において、
前記制御手段は、さらに、
前記他の印刷装置の離隔によって、前記第１無線通信の前記確立が解消されたか否かを判定する解消判定処理；
前記第１無線通信の前記確立が解消したと判定された場合に、前記個数移動処理による前記移動配分を終了する移動終了処理；
を実行することを特徴とする印刷装置。
【請求項３】
請求項１又は請求項２記載の印刷装置において、
前記第１無線通信よりも遠距離での通信が可能な第２無線通信を行う第２通信手段をさらに有し、
前記制御手段は、さらに、
操作端末から送信された前記印刷データを、前記第２無線通信により受信するデータ受信処理；
を実行し、
前記個数移動処理では、
前記第２無線通信よりも通信距離の短い前記第１無線通信により前記他の印刷装置へと移動配分する
ことを特徴とする印刷装置。
【請求項４】
請求項１又は請求項２記載の印刷装置において、
前記第１通信手段は、
前記他の印刷装置に対しブロードキャスト通信が可能に構成されており、
前記個数移動処理では、
前記第１通信手段を介した前記ブロードキャスト通信により前記他の印刷装置へと移動配分する
ことを特徴とする印刷装置。
【請求項５】
請求項３又は請求項４記載の印刷装置において、
前記指定受付処理では、
前記第１通信手段を介した前記第１無線通信により前記指定を受け付ける
ことを特徴とする印刷装置。
【請求項６】
請求項１乃至請求項５のいずれか１項記載の印刷装置において、
前記個数移動処理では、
前記特定のユーザ識別情報に対応する前記印刷可能個数のうちの半数を前記他の印刷装置へと移動配分する
ことを特徴とする印刷装置。
【請求項７】
請求項１乃至請求項５のいずれか１項記載の印刷装置において、
前記個数移動処理では、
前記特定のユーザ識別情報に対応する前記印刷可能個数のうち、前記第１無線通信が確立したタイミングからの経過時間に応じた個数を、前記他の印刷装置へと移動配分する
ことを特徴とする印刷装置。
【請求項８】
請求項１乃至請求項５のいずれか１項記載の印刷装置において、
前記個数移動処理では、
前記特定のユーザ識別情報に対応する前記印刷可能個数の全てを、前記他の印刷装置へと移動配分するか、若しくは、前記他の印刷装置から前記印刷装置へと移動配分する
ことを特徴とする印刷装置。
【請求項９】
請求項１乃至請求項５のいずれか１項記載の印刷装置において、
前記制御手段は、さらに、
前記他の印刷装置の前記記憶手段に記憶された、前記特定のユーザ識別情報に対応する前記印刷可能個数の数値情報を取得する数値取得処理；
を実行し、
前記個数移動処理では、
前記印刷装置から前記他の印刷装置への移動配分により、前記印刷装置における前記特定のユーザ識別情報に対応する前記印刷可能個数と、前記他の印刷装置における前記特定のユーザ識別情報に対応する前記印刷可能個数と、を等しくする
ことを特徴とする印刷装置。
【請求項１０】
請求項１乃至請求項５のいずれか１項記載の印刷装置において、
前記制御手段は、さらに、
前記他の印刷装置の前記記憶手段に記憶された、前記特定のユーザ識別情報に対応する前記印刷可能個数の数値情報を取得する数値取得処理；
を実行し、
前記個数制限処理では、
前記取得された前記他の印刷装置に係わる前記印刷可能個数の数値情報に応じて、前記印字形成処理において生成する前記印刷物の個数の前記最大値を、対応する前記印刷可能個数を超えて許容する
ことを特徴とする印刷装置。
【請求項１１】
請求項１乃至請求項１０のいずれか１項記載の印刷装置において、
所望の表示を行う表示手段をさらに有し、
前記制御手段は、さらに、
前記特定のユーザ識別情報の指定の受け付け時、若しくは、前記移動配分の実行時、における、前記印刷装置における前記特定のユーザ識別情報に対応する前記印刷可能個数の数値情報を前記表示手段に表示する、個数表示処理；
を実行する
ことを特徴とする印刷装置。
【請求項１２】
請求項１１記載の印刷装置において、
前記制御手段は、さらに、
前記特定のユーザ識別情報の指定の受け付け時において、当該特定のユーザ識別情報に対応する前記印刷可能個数を前記記憶手段に備えた前記他の印刷装置に備えられた前記表示手段に対して当該他の印刷装置に係わる前記印刷可能個数を表示させる表示指示を、前記第１無線通信を介して送信する、表示指示処理；
を実行することを特徴とする印刷装置。
【発明の詳細な説明】
【技術分野】
【０００１】
本発明は、被印字媒体に所望の印刷を行う印刷装置に関する。
【背景技術】
【０００２】
被印字媒体に印刷を行う印刷装置において、近距離無線通信で情報を取得できた場合にのみ当該ユーザに印刷を許容する技術が既に知られている（例えば、特許文献１参照）。この従来技術では、ユーザが携帯端末を印刷装置にかざすことで上記近距離無線通信の接続が確立され、携帯端末から印刷装置へ設定情報が送信されて、印刷物が作成される。
【先行技術文献】
【特許文献】
【０００３】
【特許文献１】特開２０１５−７８５７号公報
【発明の概要】
【発明が解決しようとする課題】
【０００４】
上記従来技術のように印刷の実行を近距離無線通信による情報取得時のみに制限する手法をさらに進め、近年、セキュリティ確保等の観点から、ユーザごとに予め印刷物を作成可能な個数を決定しておく手法が考えられつつある。この場合、例えば印刷装置側において、各ユーザごとに上記印刷可能個数が記憶されており、ユーザは、自分の印刷可能個数を上限として、その個数範囲内でのみ印刷物を作成できることになる。
【０００５】
このようにしてユーザが自らに割り当てられた印刷可能個数の制限の下で印刷物の作成を行うとき、１つの印刷装置だけでなく、それ以外の所望の印刷装置においても上記制限を遵守しながら印刷物の作成を実行できれば、便利である。上記従来技術においてはそのような点までは特に配慮されていなかった。
【０００６】
本発明の目的は、ユーザに対し割り当てられた印刷可能個数を用いて所望の他の印刷装置においても印刷物の作成を実行できるようにした、印刷装置を提供することにある。
【課題を解決するための手段】
【０００７】
上記目的を達成するために、本願発明は、被印字媒体を搬送する搬送手段と、搬送される前記被印字媒体に対して所望の印字を形成する印字手段と、ユーザ識別情報ごとの印刷可能個数を記憶した記憶手段と、第１無線通信を行う第１通信手段と、制御手段と、を有し、前記制御手段は、前記搬送手段及び前記印字手段を制御し、印刷データに対応した印字を前記被印字媒体に形成して印刷物を生成する印字形成処理；前記ユーザ識別情報ごとに、前記印字形成処理において生成する前記印刷物の個数の最大値を、対応する前記印刷可能個数に制限する個数制限処理；前記印字形成処理の実行後には、実行前における前記印刷可能個数から、生成した前記印刷物の個数を差し引くことで、当該印刷可能個数を更新する更新処理；を実行する印刷装置であって、前記制御手段は、さらに、特定の前記ユーザ識別情報の指定を受け付ける、指定受付処理と、前記記憶手段、前記第１通信手段、を備えた他の印刷装置の近接によって、前記印刷装置の前記第１通信手段と前記他の印刷装置の前記第１通信手段との前記第１無線通信が確立したか否かを判定する確立判定処理；前記第１無線通信が確立したと判定された場合に、前記印刷装置の前記記憶手段に記憶された前記特定のユーザ識別情報に対応する前記印刷可能個数のうち少なくとも一部を、前記確立した前記第１無線通信を介して前記他の印刷装置へと移動配分するか、若しくは、当該他の印刷装置の前記記憶手段に記憶された前記特定のユーザ識別情報に対応する前記印刷可能個数の少なくとも一部を、前記確立した前記第１無線通信を介して前記印刷装置へと移動配分する、個数移動処理；を実行することを特徴とする。
【０００８】
本願発明の印刷装置においては、制御手段が実行する印字形成処理により、搬送される被印字媒体に印字形成して印刷物を作成することができる。その際、例えばセキュリティ確保等の観点から、ユーザごとに予め印刷物を作成可能な個数が決定されている。すなわち、記憶手段には、各ユーザのユーザ識別情報に対応づける形で、最新の上記個数（印刷可能個数）が記憶されている。制御手段が実行する個数制限処理により、ユーザは、自分のユーザ識別情報に対応づけられた上記印刷可能個数を上限として、その個数範囲内でのみ印刷物を作成することができる。印刷物が作成された後は、当該作成した印刷物の個数分が印刷可能個数から差し引かれることで、当該印刷可能個数が更新される（更新処理）。
【０００９】
このようにしてユーザが自らに割り当てられた印刷可能個数の制限の下で印刷物の作成を行うとき、１つの印刷装置だけでなく、それ以外の所望の印刷装置においても上記制限を遵守しながら印刷物の作成を実行できれば、便利である。
【００１０】
そこで本願発明においては、制御手段が、指定受付処理にて特定のユーザ識別情報の指定を受け付けた後、確立判定処理において、１つの印刷装置に備えられた通信手段（第１通信手段）と他の印刷装置の通信手段（第１通信手段）との間の、無線通信（第１無線通信）が確立したか否かを判定する。すなわち、例えばユーザは、印刷装置に対し上記他の印刷装置を近接させることで、上記２つの印刷装置の第１通信手段どうしの上記第１無線通信を確立させる。
【００１１】
すると、上記判定が満たされることで、制御手段が、個数移動処理を実行する。すなわち、上記印刷装置において記憶されていた上記特定のユーザ識別情報に対応する印刷可能個数のうち少なくとも一部が、確立した上記第１無線通信を介して上記他の印刷装置へと移動配分する（他の印刷装置において記憶されていた上記特定のユーザ識別情報に対応する印刷可能個数のうち少なくとも一部が、確立した上記第１無線通信を介して上記印刷装置へと移動配分することもできる）。これにより、ユーザは、上記他の印刷装置において、自らに割り当てられた印刷可能個数のうち当該他の印刷装置へと移動配分された個数を用いつつ、その移動配分された印刷可能個数の制限内で印刷物の作成を行うことができる。この結果、ユーザにとっての利便性を向上することができる。
【発明の効果】
【００１２】
本発明によれば、ユーザに対し割り当てられた印刷可能個数を用いて、所望の他の印刷装置においても印刷物の作成を実行することができる。
【図面の簡単な説明】
【００１３】
【図１】本発明の一実施形態のプリンタを、操作端末及びタグカードと共に示すシステム構成図である。
【図２】プリンタの外観構造を表す斜視図である。
【図３】カートリッジカバーを開いた状態のプリンタの外観を表す斜視図である。
【図４】カートリッジの内部構造を表す概念的平面図である。
【図５】プリンタ、タグカード、及び操作端末の機能的構成を表すブロック図である。
【図６】指定ＩＤの印刷可能枚数の半数を１つのプリンタから他のプリンタへ移動する挙動を表す説明図である。
【図７】移動元のプリンタの制御回路によって実行される制御内容を表すフローチャートである。
【図８】移動先のプリンタの制御回路によって実行される制御内容を表すフローチャートである。
【図９】印刷可能枚数の移動量をＮＦＣ通信時間に比例させる変形例の移動配分を表す説明図である。
【図１０】移動元のプリンタの制御回路によって実行される制御内容を表すフローチャートである。
【図１１】２つのプリンタの印刷可能枚数が同数となるように移動する変形例における移動配分を表す説明図である。
【図１２】１つのプリンタの印刷可能枚数の全部を他のプリンタへ移動する変形例における移動配分を表す説明図である。
【図１３】プリンタ同士を近づける毎に印刷可能枚数の集約・等分を繰り返す変形例における移動配分を表す説明図である。
【図１４】移動配分後のプリンタで印刷可能枚数を超えて印刷を許容する変形例における移動配分及び印刷を表す説明図である。
【図１５】Ｂｌｕｅｔｏｏｔｈ  Ｌｏｗ  Ｅｎｅｒｇｙを用いる変形例におけるプリンタ、タグカード及び操作端末の機能的構成を表すブロック図である。
【図１６】ブロードキャスト通信で複数のプリンタを接続したネットワークを表す説明図である。
【発明を実施するための形態】
【００１４】
以下、本発明の一実施の形態を図面を参照しつつ説明する。
【００１５】
＜システム構成＞
図１に、本実施形態のプリンタ１Ａ，１Ｂを、当該プリンタ１Ａ，１Ｂを操作するための操作端末２００、及び、プリンタ１Ａに近接されることでプリンタ１Ａとの間で近距離通信（詳細は後述）による情報送受信を実行可能なタグカードＣ、とともに示す。図１において、プリンタ１Ａ及びプリンタ１Ｂと操作端末２００は、建物内や屋外等に存在するアクセスポイントＡＣＰ（基地局）に対し、例えばＷｉＦｉ（登録商標）やその他の無線ＬＡＮ等の適宜の相互認識無線通信によって情報送受信可能に接続されている。なお、ＷｉＦｉではなく、Ｂｌｕｅｔｏｏｔｈ（登録商標）等による他の無線通信方式や、あるいはＵＳＢケーブルを用いた有線接続によって接続されていてもよい。
【００１６】
操作端末２００は、例えば、上記相互認識無線通信に対応する機能を備えたＰＤＡ（携帯情報端末）やスマートフォン（ＰＤＡ機能を備えた携帯電話）等の情報端末である。この操作端末２００は、タッチパネル２０１と、例えば操作ボタン２０２とを有している。タッチパネル２０１は、液晶ディスプレイ等により各種情報やメッセージを表示する表示機能を有すると共に、上記操作ボタン２０２と併せて操作者が所望の指示や情報を入力可能である。したがって、以降、タッチパネルの上記表示機能部分を単に「表示部２０１」と称し、タッチパネルの上記操作機能部分と上記操作ボタンとを、単に「操作部２０２」と称する。操作端末２００は、上記アクセスポイントＡＣＰを介しての上記相互認識無線通信によりプリンタ１Ａ，１Ｂに印刷データを送信し、プリンタ１Ａ，１Ｂにより所望の印刷を実行させることができる。プリンタ１Ａとプリンタ１Ｂとは、同一の構成を備えている。したがって、以下適宜、単に「プリンタ１」と総称する。
【００１７】
＜プリンタの構成＞
図２及び図３を用いて、上記プリンタ１の概略構成について説明する。
【００１８】
図２及び図３に示すように、プリンタ１は、その外郭を構成する筐体２を備える。筐体２は、装置下面を構成しかつ装置側面と一体となった樹脂製の下カバー１５と、装置上面を構成する樹脂製の上カバー１７とにより構成されている。
【００１９】
下カバー１５の側面には、凹部１５ｂと、当該凹部１５ｂ内の奥部の中央に形成され、印字済ラベル用テープ１０９（後述の図４参照）を排出する排出口１５ａと、を備えている。
【００２０】
上カバー１７には、前方向から後方向に向けて、文字入力等の種々の操作が行われるキーボード３と、印刷ボタンや電源ボタン等を含む、プリンタ１の各種機能を実行させるための機能キー群４と、例えば矩形開口状の開口部を塞ぐように装着された表示部７とが設けられている。なお、この表示部７が、請求項記載の表示手段に相当する。
【００２１】
また、プリンタ１の上面後部側には、カートリッジ８を着脱可能なカートリッジホルダ９が設けられている。上記上カバー１７は、テープカセット状のカートリッジ８を装着するためのカートリッジカバー１７ａを備えている。カートリッジホルダ９は、カートリッジカバー１７ａによって常には閉塞される（図２参照）一方、カートリッジカバー１７ａを開放することで、露出される（図３参照）。
またこのカートリッジカバー１７ａの端部に、欠き取り部１７ｂが設けられている。そしてこの欠き取り部１７ｂに収納されるように、上記印字済ラベル用テープ１０９をカットするための操作レバーであるカットレバー５０が設けられている。
【００２２】
次に、カートリッジ８及びカートリッジホルダ９の詳細構造を図４を用いて説明する。カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である透明な被印字テープ１０３が巻回された第２ロール１０４（実際は渦巻き状であるが、図では簡略的に同心円状に示す）と、インクリボン１０５（但し被印字テープ１０３が感熱テープの場合は不要）を繰り出すリボン供給側ロール１１１と、印字後のインクリボン１０５を巻取るリボン巻取りローラ１０６と、カートリッジ８のテープ排出部の近傍に回転可能に支持されたテープ送りローラ２７とを有する。なお、被印字テープ１０３が、請求項記載の被印字媒体に相当する。
【００２３】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記被印字テープ１０３を巻回している。
【００２４】
テープ送りローラ２７は、上記基材テープ１０１と上記被印字テープ１０３とを押圧し接着させ上記印字済ラベル用テープ１０９としつつテープ送りを行う。
【００２５】
また、印字済ラベル用テープ１０９の搬送経路に沿ってテープ送りローラ２７及び圧着ローラ２８の下流側（すなわち後述の印字ヘッド２３よりも下流側）には、固定刃４０と、上記カットレバー５０の手動操作により上記固定刃４０に対し前進し固定刃４０との協働により印字済ラベル用テープ１０９を厚さ方向に切断する可動刃４１と、が設けられている。
【００２６】
一方、カートリッジホルダ９には、カートリッジ８内の使用済みの上記インクリボン１０５を巻き取るためのリボン巻取りローラ駆動軸１０７と、上記印字済ラベル用テープ１０９を搬送するためのテープ送りローラ駆動軸１０８とが設けられている。なお、このテープ送りローラ駆動軸１０８が、請求項記載の搬送手段に相当する。前述のリボン巻取りローラ１０６及びテープ送りローラ２７は、不図示の搬送ローラ用モータの駆動力が上記リボン巻取りローラ駆動軸１０７及び上記テープ送りローラ駆動軸１０８に伝達されることによって、連動して回転駆動される。またカートリッジホルダ９には、搬送される被印字テープ１０３に所望の印刷を行う印字ヘッド２３が、カートリッジ８の装着時にその開口部に位置するように設けられている。なお、この印字ヘッド２３が、請求項記載の印字手段に相当する。なお、印字ヘッド２３は、上記可動刃４１及び固定刃４０と、テープ搬送経路に沿って所定の離間距離で離間するよう配置されている。また、カートリッジホルダ９には、当該カートリッジホルダ９に装着されたカートリッジ８の種類（言い換えれば被印字テープ１０３のテープ幅等の各種テープ属性を表す被印字テープ１０３の種類）を公知の手法で検出するカートリッジセンサ９Ａを備えている。
【００２７】
＜印字テープ作成動作概略＞
上記構成において、カートリッジ８が上記カートリッジホルダ９に装着されると、被印字テープ１０３及びインクリボン１０５が印字ヘッド２３とこれに対向するプラテンローラ２６との間に狭持される。また、基材テープ１０１及び被印字テープ１０３が、テープ送りローラ２７とこれに対向する圧着ローラ２８との間に狭持される。そして、リボン巻取りローラ１０６及びテープ送りローラ２７が図４中矢印Ｂ及び矢印Ｃで示す方向にそれぞれ同期して回転駆動される。これにより、テープ送りローラ２７、圧着ローラ２８、及びプラテンローラ２６が回転し、第１ロール１０２から基材テープ１０１が繰り出され、テープ送りローラ２７へ供給される。一方、第２ロール１０４からは被印字テープ１０３が繰り出されるとともに、不図示の印刷駆動回路により印字ヘッド２３の複数の発熱素子が通電される。この結果、被印字テープ１０３の裏面に印字が印刷される。
【００２８】
そして、上記基材テープ１０１と上記印刷が終了した被印字テープ１０３とが上記テープ送りローラ２７及び圧着ローラ２８により接着されて一体化されて印字済ラベル用テープ１０９として形成され、テープ排出部よりカートリッジ８外へと搬出される。
【００２９】
被印字テープ１０３への印字が終了したインクリボン１０５は、リボン巻取りローラ駆動軸１０７の駆動によりリボン巻取りローラ１０６に巻取られる。
【００３０】
上記のようにしてカートリッジ８外へ搬出された印字済ラベル用テープ１０９は、上記カットレバー５０の手動操作に基づく固定刃４０及び可動刃４１の協働によって切断され、印刷物としての印字ラベル（図示省略）が生成される。このときの切断は、前述したように、ユーザによる上記カットレバー５０の手動操作が図示しない機構を介し可動刃４１に伝えられ、可動刃４１が固定刃４０に対し前進して可動刃４１と固定刃４０とが鋏状に閉じ合わされることで、行われる。
【００３１】
＜プリンタ、タグカード、及び操作端末の機能的構成＞
図５を用いて、プリンタ１、タグカードＣ、及び操作端末２００の機能的構成を説明する。
【００３２】
＜プリンタの機能的構成＞
図５において、プリンタ１Ａ，１Ｂは、被印字テープ１０３に所望の印刷を行う上記印字ヘッド２３と、上記プラテンローラ２６と、制御回路１４３と、例えばＲＡＭやＲＯＭ等からなるメモリ１４４と、所望の表示を行う上記表示部７と、ＮＦＣ用通信部１４１と、第１アンテナ１４１ａと、通信制御部１４２と、第２アンテナ１４２ａと、を有している。なお、上記制御回路１４３が、請求項記載の制御手段に相当し、メモリ１４４が、請求項記載の記憶手段に相当している。
【００３３】
ＮＦＣ用通信部１４１は、プリンタ１Ａ，１ＢとタグカードＣとの間、及び、プリンタ１Ａ，１Ｂ同士の間で、第１アンテナ１４１ａを介して行われる、通信距離が比較的短い（例えば数１０ｃｍ程度の）近距離無線通信であるＮＦＣ通信（Ｎｅａｒ  Ｆｉｅｌｄ  Ｃｏｍｍｕｎｉｃａｔｉｏｎ）の制御を行う。なお、このＮＦＣ通信が、請求項記載の第１無線通信に相当し、ＮＦＣ用通信部１４１が第１通信手段に相当する。
【００３４】
通信制御部１４２は、プリンタ１と上記アクセスポイントＡＣＰとの間で第２アンテナ１４２ａを介して行われる、通信距離が比較的長い（例えば上記ＮＦＣ通信よりも長い数ｍ〜数１０ｍ程度）上記相互認識無線通信の制御を行う。なお、この相互認識無線通信が、請求項記載の第２無線通信に相当し、通信制御部１４２が第２通信手段に相当する。
【００３５】
メモリ１４４には、ユーザごとの印刷可能枚数（後述）が記憶されている。これに対応して、表示部７には、特定のユーザＩＤの指定の受け付け時（詳細は後述）等、適時にユーザＩＤごとの上記印刷可能枚数が表示される。またメモリ１４４に備えられたＲＯＭには、後述する図７、図８、図１０等に示す処理を実行するための印刷処理プログラムを含む各種プログラムが記憶されている。
【００３６】
＜タグカードの機能的構成＞
タグカードＣは、ＮＦＣ通信媒体の一種であり、タグアンテナ１５１と、ＩＣ回路部１５０とを有し、ＩＣ回路部１５０は、メモリ部１５５と、タグ制御部１５７とを有している。
【００３７】
メモリ部１５５は、上記ユーザＩＤ等を記憶している。メモリ部１５５はタグ制御部１５７と接続されている。メモリ部１５５及び上記タグアンテナ１５１は、上記タグ制御部１５７によって制御される。
【００３８】
タグアンテナ１５１は、上記タグ制御部１５７の制御に従い、上記プリンタ１の第１アンテナ１４１ａとの間のＮＦＣ通信により、プリンタ１との間で情報を送受信可能である。このＮＦＣ通信には、例えば１３．５６ＭＨｚ帯が利用される。これにより、ユーザがタグカードＣをプリンタ１の第１アンテナ１４１ａに近接するようにかざし、タグカードＣとプリンタ１とのＮＦＣ通信が確立すると、上記メモリ部１５５に記憶されているユーザＩＤが、タグアンテナ１５１を介してプリンタ１に送信される。このユーザＩＤが、第１アンテナ１４１ａを介して受信されることにより、プリンタ１に特定のユーザＩＤが指定される。
【００３９】
＜操作端末の機能的構成＞
操作端末２００は、ＣＰＵ２０３と、例えばＲＡＭやＲＯＭ等からなるメモリ２０４と、上記操作部２０２と、上記表示部２０１と、各種情報を記憶する大容量記憶装置２０５と、端末側アンテナ２０６ａを備えた相互認識無線通信制御部２０６と、を備えている。
【００４０】
相互認識無線通信制御部２０６は、ＣＰＵ２０３の制御に従い、端末側アンテナ２０６ａと上記アクセスポイントＡＣＰを介しての相互認識無線通信により、例えば操作端末２００からの上記印刷データの送信等、各種情報の送受信のための制御を行う。
【００４１】
ＣＰＵ２０３は、ＲＡＭの一時記憶機能を利用しつつＲＯＭに予め記憶されたプログラムに従って信号処理を行い、それによってプリンタ１との間で各種の指示信号・情報信号の送受を行うようになっている。
【００４２】
大容量記憶装置２０５（メモリ２０４でもよい）には、文字スタイルやフォント等の所定の書式の種類ごとに、印刷指令をプリンタコード（詳細は省略）に変換するためのプログラムが記憶されている。
【００４３】
＜本実施形態の背景＞
上記したように、本実施形態のプリンタ１は、操作端末２００に接続して使用される。すなわち、操作端末２００の上記操作部２０２を介しユーザが適宜に操作を行うことで、被印字テープ１０３におけるユーザが所望する印刷レイアウト（例えば適宜のテンプレートを用いて作成したもの等）に基づき印刷データが生成され、プリンタ１に送信される。プリンタ１は、送信された印刷データに基づき、被印字テープ１０３に対し印刷を行い、形成される印字済ラベル用テープ１０９を切断することにより、上記印字ラベルを生成する。
【００４４】
その際、プリンタ１には、例えばセキュリティ確保等の観点から、ユーザごとに予め印字ラベルを作成可能な印刷可能枚数が決定されている。なお、印刷可能枚数が、請求項記載の印刷可能個数に相当する。すなわち、上記メモリ１４４に、各ユーザのユーザＩＤに対応づける形で、ユーザごとの最新の上記印刷可能枚数が記憶されている。なお、このユーザＩＤが、請求項記載のユーザ識別情報に相当する。ユーザは、自分のユーザＩＤに対応づけられた上記印刷可能枚数を上限として、その枚数範囲内でのみ印字ラベルを作成することができる。
【００４５】
このようにしてユーザが自らに割り当てられた印刷可能枚数の制限の下で印字ラベルの作成を行うとき、１つのプリンタ１（例えばプリンタ１Ａ）だけでなく、それ以外の所望のプリンタ１（例えばプリンタ１Ｂ）においても上記制限を遵守しながら印字ラベルの作成を実行できれば、便利である。
【００４６】
＜本実施形態の特徴＞
そこで本実施形態においては、ユーザが自らに割り当てられた印刷可能枚数の制限の下で上記印字ラベルの作成を行うとき、プリンタ１Ａのメモリ１４４に記憶されていた上記印刷可能枚数の少なくとも一部を、プリンタ１Ｂに移動配分できるようにする。以下、その内容を順を追って説明する。
【００４７】
例えば図６（ａ）に示すように、プリンタ１Ａのメモリ１４４に、ユーザＩＤごとに割り当てられた上記印刷可能枚数が記憶されている。この例では、「Ａ０２３６８」「Ａ３２５９２」「Ｂ２８２７５」「Ｃ０００２３」の４つのユーザＩＤに対し、ユーザＩＤごとの上記印刷可能枚数として、Ａ０２３６８：２００枚、Ａ３２５９２：１５枚、Ｂ２８２７５：４５０枚、Ｃ０００２３：０枚が、それぞれ割り当てられ記憶されている。このプリンタ１Ａに対し、ユーザＩＤがＡ０２３６８であるユーザがタグカードＣをかざすと、上記ＮＦＣ通信により、タグカードＣのメモリ部１５５に記憶された上記ユーザＩＤ（「Ａ０２３６８」）が送信され、プリンタ１Ａに当該特定のユーザＩＤ「Ａ０２３６８」が指定される。
【００４８】
次に、図６（ｂ）に示すように、ユーザがプリンタ１Ａに別のプリンタ１Ｂを近づけ、プリンタ１Ａとプリンタ１Ｂとの間のＮＦＣ通信を確立させる。このとき、例えばプリンタ１Ｂの上記メモリ１４４には、ユーザＩＤごとの上記印刷可能枚数として、１つのユーザＩＤ「Ｘ６２８３９」に対し、３０枚が記憶されている。
【００４９】
上記プリンタ１Ａ，１Ｂの接近によってプリンタ１Ａとプリンタ１ＢとのＮＦＣ通信が確立すると、図６（ｃ）に示すように、上記指定されたユーザＩＤ（「Ａ０２３６８」）の上記印刷可能枚数２００枚のうちの、半数の印刷可能枚数１００枚がプリンタ１Ａからプリンタ１Ｂに移動する。この結果、プリンタ１Ｂのメモリ１４４には、上記ユーザＩＤ「Ａ０２３６８」と、それに対応する印刷可能枚数１００枚が追加される（下線部参照）。なお、それ以外のユーザＩＤ（この例では「Ｘ６２８３９」）の印刷可能枚数は変更がない（引き続き３０枚）。また、プリンタ１Ａでは、指定したユーザＩＤのＡの０２３６８の印刷可能枚数が２００枚から１００枚減少し１００枚となる（下線部参照）。それ以外のユーザＩＤ（「Ａ３２５９２」「Ｂ２８２７５」「Ｃ０００２３」）の印刷可能枚数は変更がない（Ａ３２５９２：１５枚、Ｂ２８２７５：４５０枚、Ｃ０００２３：０枚）。
【００５０】
上記のようなプリンタ１Ｂへの印刷可能枚数の移動に対応し、図６（ｄ）に示すように、ユーザの適宜の操作により操作端末２００において作成された印刷データが、操作端末２００から上記相互認識無線通信により、アクセスポイントＡＣＰを介してプリンタ１Ｂに送信される。プリンタ１Ｂは、上記送信された印刷データを受信することで、その受信した印刷データに対応した印字ラベルを印刷することができる。このようにして、ユーザは、プリンタ１Ａに代えて、プリンタ１Ｂにおいて、所望の印字ラベルを最大１００枚印刷することができる。印字ラベルが１００枚印刷されると、図６（ｄ）に示すように、プリンタ１Ｂのメモリ１４４に記憶されたユーザＩＤ「Ａ０２３６８」の印刷可能枚数は０枚となる（下線部参照）。
【００５１】
＜プリンタの制御手順＞
上記の手法を実現するために、プリンタ１Ａ、プリンタ１Ｂの上記制御回路１４３によって実行される制御内容を説明する。
【００５２】
＜プリンタ１Ａの制御手順＞
まず、移動元のプリンタであるプリンタ１Ａの上記制御回路１４３によって実行される制御内容を、図７を用いて説明する。
【００５３】
まず、ステップＳ１０で、制御回路１４３は、前述のようにユーザがタグカードＣをプリンタ１Ａに近接するようにかざすことで、タグカードＣとの間のＮＦＣ通信が確立したか否かを公知の適宜の手法（詳細説明は省略）により判定する。なお、プリンタ１Ａがこの場合における請求項記載の印刷装置に相当する。ＮＦＣ通信が確立されるまではステップＳ１０の判定は満たされず（Ｓ１０：ＮＯ）、ループ待機し、ＮＦＣ通信が確立されたらステップＳ１０の判定が満たされて（Ｓ１０：ＹＥＳ）、ステップＳ２０に移る。上記ＮＦＣ通信の確立により、タグカードＣのメモリ部１５５に記憶されたユーザＩＤ（前述の例ではユーザＩＤ「Ａ０２３６８」。図６（ａ）参照））がＮＦＣ通信によりプリンタ１Ａに送信される。
【００５４】
ステップＳ２０では、制御回路１４３は、ＮＦＣ通信によりタグカードＣから送信された上記ユーザＩＤの指定を受け付け、取得する。このステップＳ２０で実行する処理が請求項記載の指定受付処理に相当する。ステップＳ２０が終了すると、ステップＳ３０に移る。
【００５５】
なお、制御回路１４３は、上記ステップＳ２０におけるユーザＩＤの受付時に、当該ユーザＩＤに対応する印刷可能枚数の数値情報（上記の例では「Ａ０２３６８」に対応した２００枚を表す「２００」）を表示部７に表示してもよい。この処理が、請求項記載の個数表示処理に相当する。
【００５６】
ステップＳ３０では、制御回路１４３は、前述のようにユーザがプリンタ１Ｂをプリンタ１Ａに近づけることで、プリンタ１Ｂとの間でＮＦＣ通信が確立されたか否かを公知の適宜の手法（詳細説明は省略）により判定する。なお、プリンタ１Ｂが、この場合における請求項記載の他の印刷装置に相当する。プリンタ１ＢとのＮＦＣ通信が確立するまではステップＳ３０の判定は満たされず（Ｓ３０：ＮＯ）、ループ待機し、ＮＦＣ通信が確立されたらステップＳ３０の判定が満たされて（Ｓ３０：ＹＥＳ）、ステップＳ４０に移る。このステップＳ３０で実行する処理が請求項記載の確立判定処理に相当する。
【００５７】
ステップＳ４０では、制御回路１４３は、上記メモリ１４４から、上記ステップＳ２０で取得したユーザＩＤ（以下適宜、「指定ＩＤ」という）に対応づけられている上記印刷可能枚数（前述の例では「Ａ０２３６８」に対応づけられた２００枚（図６（ａ）参照））を読み出す。ステップＳ４０が終了すると、ステップＳ５０に移る。
【００５８】
ステップＳ５０では、制御回路１４３は、ＮＦＣ用通信部１４１を介したＮＦＣ通信により、上記ステップＳ４０で読み出した上記指定ＩＤの印刷可能枚数のうちの半数の印刷可能枚数（前述の例では２００枚の半分の１００枚。図６（ｃ）参照）を、プリンタ１Ｂに移動する（個数移動処理）。なお、この個数移動処理は、上記のようにして互いに接近したプリンタ１Ａとプリンタ１Ｂとをユーザが再び離隔させ上記ＮＦＣ通信の確立が解消するまでの間、行われるようにしてもよい（後述の図９、図１０に示す変形例参照）。上記個数移動処理により、プリンタ１Ｂにおいては、メモリ１４４のユーザＩＤごとの印刷可能枚数に、上記指定ＩＤの印刷可能枚数（前述の例では「Ａ０２３６８」の１００枚）が追加される。言い換えれば、プリンタ１Ｂは、上記指定ＩＤのユーザの操作に基づき印字ラベルを上記印刷可能枚数（上記の例では１００枚）だけ印刷できる権限を、獲得したことになる。このステップＳ５０で実行する処理が請求項記載の個数移動処理に相当する。なお、このとき、上記プリンタ１Ａに対しタグカードＣがかざされたことを契機に、逆に上記指定ＩＤに対応する上記印刷可能枚数の少なくとも一部を、プリンタ１Ｂからプリンタ１Ａへ移動するようにしてもよい。ステップＳ５０が終了すると、ステップＳ８０に移る。
【００５９】
なお、制御回路１４３は、上記ステップＳ５０における移動配分の実行時に、上記指定ＩＤに対応する印刷可能枚数の数値情報（上記の例では「Ａ０２３６８」に対応した２００枚を表す数値「２００」、若しくは移動して減少した１００枚を表す「１００」）を表示部７に表示してもよい。この処理も、請求項記載の個数表示処理に相当する。
【００６０】
ステップＳ８０では、制御回路１４３は、上記メモリ１４４に記憶した、上記指定ＩＤ（上記の例では「Ａ０２３６８」）の印刷可能枚数を、上記ステップＳ５０の個数移動処理で処理した枚数（上記の例では１００枚の減少）を用いて更新する。ステップＳ８０が終了すると、ステップＳ９０に移る。
【００６１】
ステップＳ９０では、制御回路１４３は、ユーザの上記操作端末２００における操作に基づき送信された印刷データが、上記アクセスポイントＡＣＰを介した上記相互認識無線通信により、上記第２アンテナ１４２ａを介して受信されたか否かを判定する。このステップＳ９０で実行する処理が請求項記載のデータ受信処理に相当する。印刷データが受信されていればステップＳ９０の判定が満たされ（Ｓ９０：ＹＥＳ）、ステップＳ１００に移る。印刷データが受信されていなければステップＳ９０の判定が満たされず（Ｓ９０：ＮＯ）、後述のステップＳ１１０に移る。
【００６２】
ステップＳ１００では、制御回路１４３は、上記テープ送りローラ駆動軸１０８及び印字ヘッド２３を制御し、上記被印字テープ１０３に対し上記ステップＳ９０で受信されていた印刷データに対応した印字を形成する印刷処理を、上記ステップＳ８０で更新された印刷可能枚数の範囲内で（上記の例ではユーザＩＤ「Ａ０２３６８」に係わる、２００枚から減少した後の１００枚以下の制限の下で）実行する。このステップＳ１００で実行する処理が請求項記載の個数制限処理及び印字形成処理に相当する。ステップＳ１００が終了すると、ステップＳ１１０に移る。
【００６３】
ステップＳ１１０では、制御回路１４３は、上記ステップＳ９０で印刷データを受信した場合は、上記ステップＳ８０で更新された、上記指定ＩＤに係わる印刷可能枚数（上記の例では「Ａ０２３６８」の１００枚）から、上記ステップＳ１００で印刷した枚数をさらに差し引き、その差し引いた枚数を用いてメモリ１４４における当該指定ＩＤに係わる印刷可能枚数の値を更新して記憶する。上記ステップＳ９０で印刷データを受信しなかった場合は、上記ステップＳ８０で更新された、上記指定ＩＤに係わる印刷可能枚数（上記の例では「Ａ０２３６８」の１００枚）をそのまま用いて、メモリ１４４内の当該指定ＩＤに係わる印刷可能枚数が更新され記憶される。なお、このステップＳ１１０で実行する処理が請求項記載の更新処理に相当する。ステップＳ１１０が終了すると、その後、このフローを終了する。
【００６４】
＜プリンタ１Ｂにおける制御手順＞
次に、移動先のプリンタであるプリンタ１Ｂの上記制御回路１４３によって実行される制御内容を、図８を用いて説明する。
【００６５】
まず、ステップＳ１３０で、図７のフローの上記ステップＳ３０と同様、制御回路１４３は、前述のようにユーザがプリンタ１Ｂをプリンタ１Ａに近づけることで（前述のステップＳ３０参照）、プリンタ１Ａとの間でＮＦＣ通信が確立されたか否かを公知の適宜の手法（詳細説明は省略）により判定する。なお、プリンタ１Ａが、この場合における請求項記載の印刷装置に相当する。
プリンタ１ＡとのＮＦＣ通信が確立するまではステップＳ１３０の判定は満たされず（Ｓ１３０：ＮＯ）、ループ待機し、ＮＦＣ通信が確立されたらステップＳ１３０の判定が満たされて（Ｓ１３０：ＹＥＳ）、ステップＳ１４０に移る。
【００６６】
ステップＳ１４０では、図７のフローの上記ステップＳ４０と同様、制御回路１４３は、上記メモリ１４４から、上記ステップＳ１３０で確立されたＮＦＣ通信を介してプリンタ１Ａから取得された上記指定ＩＤに対応づけられた上記印刷可能枚数（前述の例では、最初はプリンタ１ＢにおけるユーザＩＤ「Ａ０２３６８」及びこれに対応づけられた印刷可能枚数の記録がなく、０枚。図６（ｂ）参照）を読み出す。ステップＳ１４０が終了すると、ステップＳ１５０に移る。
【００６７】
ステップＳ１５０では、図７のフローの上記ステップＳ５０と同様、制御回路１４３は、ＮＦＣ用通信部１４１を介したＮＦＣ通信により、図７のフローの上記ステップＳ５０でプリンタ１Ａから移動配分された、上記指定ＩＤの印刷可能枚数（前述の例ではユーザＩＤ「Ａ０２３６８」について１００枚）を取得する。ステップＳ１５０が終了すると、ステップＳ１８０に移る。
【００６８】
ステップＳ１８０では、図７のフローの上記ステップＳ８０と同様、制御回路１４３は、上記ステップＳ１４０で読み出した上記指定ＩＤ（上記の例では「Ａ０２３６８」）の印刷可能枚数を、上記ステップＳ１５０で取得した印刷可能枚数（上記の例では１００枚の増加）を用いて更新する。ステップＳ１８０が終了すると、ステップＳ１９０に移る。
【００６９】
ステップＳ１９０では、図７のフローの上記ステップＳ９０と同様、制御回路１４３は、ユーザの上記操作端末２００における操作に基づき送信された印刷データが、上記アクセスポイントＡＣＰを介した上記相互認識無線通信により、上記第２アンテナ１４２ａを介して受信されたか否かを判定する。このステップＳ１９０で実行する処理も請求項記載のデータ受信処理に相当する。印刷データが受信されていればステップＳ１９０の判定が満たされ（Ｓ１９０：ＹＥＳ）、ステップＳ２００に移る。印刷データが受信されていなければステップＳ１９０の判定が満たされず（Ｓ１９０：ＮＯ）、後述のステップＳ２１０に移る。
【００７０】
ステップＳ２００では、図７のフローの上記ステップＳ１００と同様、制御回路１４３は、上記テープ送りローラ駆動軸１０８及び印字ヘッド２３を制御し、上記被印字テープ１０３に対し上記ステップＳ１９０で受信されていた印刷データに対応した印字を形成する印刷処理を、上記ステップＳ１８０で更新された印刷可能枚数の範囲内で（上記の例ではユーザＩＤ「Ａ０２３６８」に係わる、０枚から増加した後の１００枚以下の制限の下で）実行する。このステップＳ２００で実行する処理も請求項記載の個数制限処理及び印字形成処理に相当する。ステップＳ２００が終了すると、ステップＳ２１０に移る。
【００７１】
ステップＳ２１０では、図７のフローの上記ステップＳ１１０と同様、制御回路１４３は、上記ステップＳ１９０で印刷データを受信した場合は、上記ステップＳ１８０で更新された、上記指定ＩＤに係わる印刷可能枚数（上記の例では「Ａ０２３６８」の１００枚）から、上記ステップＳ２００で印刷した枚数をさらに差し引き、その差し引いた枚数を用いてメモリ１４４における当該指定ＩＤに係わる印刷可能枚数の値を更新して記憶する。上記ステップＳ１９０で印刷データを受信しなかった場合は、上記ステップＳ１８０で更新された、上記指定ＩＤに係わる印刷可能枚数（上記の例では「Ａ０２３６８」の１００枚）をそのまま用いて、メモリ１４４内の当該指定ＩＤに係わる印刷可能枚数が更新され記憶される。なお、このステップＳ２１０で実行する処理も請求項記載の更新処理に相当する。ステップＳ２１０が終了すると、その後、このフローを終了する。
【００７２】
＜実施形態の効果＞
以上説明したように、本実施形態のプリンタ１においては、ユーザによる上記指定ＩＤの指定を受け付けた（ステップＳ２０参照）後、プリンタ１ＡのＮＦＣ用通信部１４１とプリンタ１ＢのＮＦＣ用通信部１４１との間のＮＦＣ通信が確立したら、上記指定ＩＤに対応する印刷可能枚数のうち少なくとも一部が、確立した上記ＮＦＣ通信を介して上記プリンタ１Ａからプリンタ１Ｂへと移動配分される。これにより、ユーザは、上記プリンタ１Ｂにおいて、自らに割り当てられた印刷可能枚数のうち上記のようにしてプリンタ１Ｂへと移動配分された枚数を用いつつ、その移動配分された印刷可能枚数の制限内で印字ラベルの作成を行うことができる（図８のステップＳ２００参照）。この結果、ユーザにとっての利便性を向上することができる。
【００７３】
また、本実施形態では特に、通信距離の短いＮＦＣ通信により上記プリンタ１Ａからプリンタ１Ｂへの上記移動配分が行われる。
【００７４】
これにより、本実施形態では、ユーザは、操作端末２００からプリンタ１への印刷データの送信を、相対的に遠距離通信である相互認識無線通信（例えばいわゆるＷｉＦｉや無線ＬＡＮ等の無線通信）で行う一方、上記２つのプリンタ１Ａ，１Ｂ間の印刷可能枚数の移動配分を、相対的に短距離通信であるいわゆるＮＦＣ（Ｎｅａｒ  Ｆｉｅｌｄ  Ｃｏｍｍｕｎｉｃａｔｉｏｎ）で行うことができる。
【００７５】
また、本実施形態では特に、上記ユーザによる上記指定ＩＤの指定時においては、タグカードＣからのＮＦＣ通信によりＮＦＣ用通信部１４１を介して上記指定を受け付ける。
【００７６】
これにより、ユーザは、ユーザＩＤを記憶したタグカードＣをプリンタ１に近づけるだけで、ＮＦＣ通信により上記指定ＩＤをプリンタ１に送信し、当該特定の指定ＩＤの指定を行うことができる。
【００７７】
また、本実施形態では特に、上記移動配分においては、上記指定ＩＤに対応する印刷可能枚数のうちの半数をプリンタ１Ａからプリンタ１Ｂへと移動配分する。
【００７８】
これにより、ユーザは、プリンタ１Ａとプリンタ１Ｂとを近接させることで、その時点でプリンタ１Ａに残っている自己に割り当て済みの印刷可能枚数（前述の例では２００枚）のうちの半分を、プリンタ１Ｂに移すことができる。
【００７９】
また、本実施形態では特に、上記指定ＩＤの指定の受け付け時（上記ステップＳ２０）、若しくは、上記移動配分の実行時（上記ステップＳ５０）における、プリンタ１Ａにおける指定ＩＤに対応する印刷可能枚数の数値情報（上記の例ではユーザ「Ａ０２３６８」の２００枚に対応する数値「２００」）を表示部７に表示する。
【００８０】
これにより、ユーザは、上記指定ＩＤを指定したとき、若しくは、上記移動配分の前後、等のタイミングにおいて、プリンタ１内における印刷可能枚数の最新情報を視覚的に認識することができる。
【００８１】
なお、本発明は、上記実施形態に限られるものではなく、その趣旨及び技術的思想を逸脱しない範囲内で種々の変形が可能である。以下、そのような変形例について説明する。上記実施形態と同等の部分には同一の符号を付し、適宜説明を省略又は簡略化する。
【００８２】
＜変形例＞
（１）印刷可能枚数の移動量をＮＦＣ通信時間に比例させる場合
上記実施形態では、上記指定ＩＤに対応する印刷可能枚数の半数を、プリンタ１Ａからプリンタ１Ｂに移動配分したが、これに限られない。すなわち、印刷可能枚数の移動枚数をＮＦＣ通信の経過時間に比例させるようにしてもよい。そのような変形例を図９（ａ）〜（ｄ）に示す。
【００８３】
図９（ａ）に示す例では、上記実施形態と同様、プリンタ１Ａのメモリ１４４に、ユーザＩＤごとの印刷可能枚数として、ユーザＩＤ「Ａ０２３６８」に２００枚、「Ａ３２５９２」に１５枚、「Ｂ２８２７５」に４５０枚、「Ｃ０００２３」０枚が、それぞれ記憶されている。また、プリンタ１Ｂのメモリ１４４には、同様に、ユーザＩＤごとの印刷可能枚数として、「Ｘ６２８３９」に３０枚が記憶されている。この状態で、前述の図６（ｂ）と同様、例えばユーザがプリンタ１Ａに別のプリンタ１Ｂを近づけ、プリンタ１Ａとプリンタ１ＢとのＮＦＣ通信を確立させる。
【００８４】
その後、上記ＮＦＣ通信が確立した時点から１秒経過すると、図９（ｂ）に示すように、指定ＩＤの印刷可能枚数のうちの所定割合（この例では、上記２００枚のうち２０分の１に相当する１０枚）がプリンタ１Ａからプリンタ１Ｂに移動する。この結果、プリンタ１Ｂには、指定ＩＤである「Ａ０２３６８」が追加されると共に、それに対応する印刷可能枚数１０枚が追加される（下線部参照）。それ以外のユーザＩＤ（「Ｘ６２８３９」）の印刷可能枚数は変更がない。また、プリンタ１Ａでは、指定ＩＤの印刷可能枚数が上記プリンタ１Ｂへ移動した分減少する（上記の例では２００枚から１０枚減少して１９０枚になる。下線部参照）。それ以外のユーザＩＤ「Ａ３２５９２」「Ｂ２８２７５」「Ｃ０００２３」の印刷可能枚数は変更がない。
【００８５】
その後さらに１秒経過（言い換えれば上記ＮＦＣ通信が確立した時点から２秒経過）すると、図９（ｃ）に示すように、上記指定ＩＤの印刷可能枚数のうちの上記所定割合（この例では上記１０枚）がさらにプリンタ１Ａからプリンタ１Ｂに移動する。この結果、プリンタ１Ｂにおける指定ＩＤ「Ａ０２３６８」に係わる印刷可能枚数１０枚がさらに追加され、２０枚となる（下線部参照）。また、プリンタ１Ａでは、指定ＩＤの印刷可能枚数がさらに上記移動の分減少する（上記の例では１９０枚からさらに１０枚減少して１８０枚になる。下線部参照）。
【００８６】
その後さらに１秒経過（言い換えれば上記ＮＦＣ通信が確立した時点から３秒経過）すると、図９（ｄ）に示すように、上記指定ＩＤの印刷可能枚数のうちの上記所定割合（この例では上記１０枚）がさらにプリンタ１Ａからプリンタ１Ｂに移動する。この結果、プリンタ１Ｂにおける指定ＩＤ「Ａ０２３６８」に係わる印刷可能枚数１０枚がさらに追加され、３０枚となる（下線部参照）。また、プリンタ１Ａでは、指定ＩＤの印刷可能枚数がさらに上記移動の分減少する（上記の例では１８０枚からさらに１０枚減少して１７０枚になる。下線部参照）。
【００８７】
上記変形例の手法を実行するために、移動元のプリンタであるプリンタ１Ａの上記制御回路１４３によって実行される制御内容を、図１０を用いて説明する。
【００８８】
図１０のフローチャートは、図７のステップＳ５０とステップＳ８０との間に新たなステップＳ６０及びステップＳ７０を追加するとともに、図７のステップＳ５０に代えて新たなステップＳ５０Ａを設けた点が異なる。図１０において、図７と同様のステップＳ１０〜ステップＳ４０を経て、新たなステップＳ５０Ａへ移る。
【００８９】
ステップＳ５０Ａでは、制御回路１４３は、ＮＦＣ用通信部１４１を介したＮＦＣ通信により、上記ステップＳ４０で読み出した上記指定ＩＤの印刷可能枚数のうち、上記ステップＳ１０でのＮＦＣ通信の確立のタイミングからの時間の経過に応じた枚数（例えば１秒経過するごとに１０枚（（図９（ａ）〜図９（ｄ）参照）の、プリンタ１Ｂへの移動を開始する。なお、プリンタ１Ｂが、この場合における請求項記載の他の印刷装置に相当する。なお、この個数移動処理は、上記のようにして互いに接近したプリンタ１Ａとプリンタ１Ｂとをユーザが再び離隔させ上記ＮＦＣ通信の確立が解消するまでの間、行われることとなる（後述のステップＳ６０、ステップＳ７０参照）。ステップＳ５０Ａが終了すると、新たに設けたステップＳ６０に移る。
【００９０】
ステップＳ６０では、制御回路１４３は、前述のようにしてユーザがプリンタ１Ａに近づけていたプリンタ１Ｂをプリンタ１Ａから離間（離隔）させることで、プリンタ１Ａとプリンタ１ＢとのＮＦＣ通信の確立が解消されたか否かを公知の適宜の手法（詳細説明は省略）により判定する。このステップＳ６０で実行する処理が請求項記載の解消判定処理に相当する。プリンタ１ＢとのＮＦＣ通信の確立が解消されていなければステップＳ６０の判定が満たされず（Ｓ６０：ＮＯ）、ループ待機する。プリンタ１ＢとのＮＦＣ通信の確立が解消されていればステップＳ６０の判定が満たされ（Ｓ６０：ＹＥＳ）、新たに設けたステップＳ７０に移る。
【００９１】
ステップＳ７０では、制御回路１４３は、上記ステップＳ５０Ａで実行を開始した、プリンタ１Ａからのプリンタ１Ｂへの上記印刷可能枚数の移動配分を終了する。なお、上記ステップＳ７０で実行する処理が請求項記載の移動終了処理に相当するとともに、上記ステップＳ５０Ａで開始されステップＳ７０で終了する上記印刷可能枚数の移動が請求項記載の個数移動処理に相当している。ステップＳ７０が終了すると、図７と同様のステップＳ８０に移る。以降、ステップＳ８０〜ステップＳ１１０は、図７と同様であり、説明を省略する。
【００９２】
本変形例においては、上述したように、上記指定ＩＤに対応する印刷可能枚数のうち、ＮＦＣ通信が確立したタイミングからの経過時間に応じた枚数を、プリンタ１Ａから他のプリンタ１Ｂへと移動配分する。これにより、ユーザは、例えばプリンタ１Ａとプリンタ１Ｂとを短い時間だけ近接させることでその時点でプリンタ１Ａ内に残っている印刷可能枚数のうちの小さめの割合のみをプリンタ１Ｂに移すことができ、プリンタ１Ａとプリンタ１Ｂとを長い時間近接させておけばその時点でプリンタ１Ａ内に残っている印刷可能枚数のうちの大きな割合をプリンタ１Ｂに移すことができる。なお、前述と同様、このとき、上記プリンタ１Ａに対しタグカードＣがかざされたことを契機に、逆に上記指定ＩＤに対応する上記印刷可能枚数を、上記経過時間に応じた枚数だけ、プリンタ１Ｂからプリンタ１Ａへ移動するようにしてもよい。
【００９３】
また、本変形例では特に、プリンタ１Ａとプリンタ１Ｂとの離隔によって、ＮＦＣ通信の確立が解消されたか否かを判定し、ＮＦＣ通信の確立が解消したと判定された場合に印刷可能枚数の移動配分を終了する。これにより、ユーザは、上述のように２つのプリンタ１Ａ，１Ｂを近接させ印刷可能枚数の移動配分を開始した後、適宜のタイミングでそれら２つのプリンタ１Ａ，１Ｂを離隔させることで、ＮＦＣ用通信部１４１どうしのＮＦＣ通信の確立を解消させて移動配分を終了させることができる。
【００９４】
（２）２つのプリンタの印刷可能枚数が同数となるように移動する場合
本変形例を図１１（ａ）及び図１１（ｂ）に示す。図１１（ａ）に示す例では、プリンタ１Ａのメモリ１４４に、ユーザＩＤごとの印刷可能枚数として「Ａ０２３６８」に２００枚、「Ａ３２５９２」に１５枚、「Ｂ２８２７５」に４５０枚、「Ｃ０００２３」０枚が、それぞれ記憶されている。また、プリンタ１Ｂのメモリ１４４には、ユーザＩＤごとの印刷可能枚数として、「Ｘ６２８３９」に３０枚、「Ａ０２３６８」に５０枚、が記憶されている。
【００９５】
この状態で、前述の図６（ｂ）と同様にしてプリンタ１Ａとプリンタ１ＢとのＮＦＣ通信を確立させると、本変形例では、まず、プリンタ１Ａとプリンタ１ＢとのＮＦＣ通信により、プリンタ１Ｂのメモリ１４４に記憶されている上記指定ＩＤの印刷可能枚数の数値（この例では「Ａ０２３６８」の上記５０枚に対応する「５０」）が読み出されプリンタ１Ａにより取得される。なお、このときの処理が、請求項記載の数値取得処理に相当している。そして、図１１（ｂ）に示すように、プリンタ１Ａにおける上記指定ＩＤの印刷可能枚数２００枚のうち７５枚が、プリンタ１Ｂへ移動配分される。この結果、プリンタ１Ａにおける指定ＩＤ（「Ａ０２３６８」）の印刷可能枚数は１２５枚となり、プリンタ１Ｂにおける上記指定ＩＤ（「Ａ０２３６８」）の印刷可能枚数は７５枚増加して１２５枚となる。すなわち、移動配分後の移動元のプリンタ１Ａにおける印刷可能枚数と移動先のプリンタ１Ｂにおける印刷可能枚数が等しく同数となる。
【００９６】
本変形例においては、ユーザは、プリンタ１Ａとプリンタ１Ｂを近接させることで、その時点で残っている自己の上記印刷可能枚数のうちの半分をプリンタ１Ａに配分し、残りの半分を他のプリンタ１Ｂに配分することができる。なお、前述と同様、このとき、上記プリンタ１Ａに対しタグカードＣがかざされたことを契機に、逆に上記指定ＩＤに対応する上記印刷可能枚数をプリンタ１Ｂからプリンタ１Ａへ移動することで、２つのプリンタ１Ａ，１Ｂにおける印刷可能枚数を同じにするようにしてもよい。
【００９７】
なお、３台以上のプリンタ１が存在する場合には、それらプリンタ１すべてにおいて上記の移動配分を繰り返すことで、３台以上のプリンタ１の相互間で印刷可能個数を等分することもできる。
【００９８】
（３）１つのプリンタの印刷可能枚数の全部を他のプリンタへ移動する場合
本変形例を図１２（ａ）及び図１２（ｂ）に示す。図１２（ａ）に示す例では、前述と同様、プリンタ１Ａのメモリ１４４に、ユーザＩＤごとの印刷可能枚数として「Ａ０２３６８」に２００枚、「Ａ３２５９２」に１５枚、「Ｂ２８２７５」に４５０枚、「Ｃ０００２３」０枚が、それぞれ記憶されている。また、プリンタ１Ｂのメモリ１４４には、ユーザＩＤごとの印刷可能枚数として、「Ｘ６２８３９」に３０枚、「Ａ０２３６８」に５０枚、が記憶されている。
【００９９】
この状態で、前述と同様にしてプリンタ１Ａとプリンタ１ＢとのＮＦＣ通信を確立させることで、図１２（ｂ）に示すように、プリンタ１Ａにおける上記指定ＩＤの印刷可能枚数２００枚すべて、プリンタ１Ｂへ移動配分される。この結果、プリンタ１Ａにおける指定ＩＤ（「Ａ０２３６８」）の印刷可能枚数は０枚となり、プリンタ１Ｂにおける上記指定ＩＤ（「Ａ０２３６８」）の印刷可能枚数は２００枚増加して２５０枚となる。すなわち、移動配分前の移動元のプリンタ１Ａにおける印刷可能枚数のすべてが移動先のプリンタ１Ｂに移動配分され、集約される。
【０１００】
本変形例においては、ユーザは、プリンタ１Ａとプリンタ１Ｂを近接させることで、その時点でプリンタ１Ａ内に記憶されている自己の上記印刷可能枚数をすべて他のプリンタ１Ｂに配分することができる。なお、前述と同様、このとき、上記プリンタ１Ａに対しタグカードＣがかざされたことを契機に、逆に上記指定ＩＤに対応するプリンタ１Ｂ内のすべての印刷可能枚数をプリンタ１Ａへ移動するようにしてもよい。
【０１０１】
また、３台以上のプリンタ１が存在する場合であっても、それらプリンタ１すべてにおいて上記の移動配分を繰り返すことで、ある１つのプリンタ１に印刷可能枚数を集約することができる。
【０１０２】
（４）プリンタ同士を近づける毎に印刷可能枚数の集約・等分を繰り返す場合
本変形例を図１３（ａ）〜（ｄ）により説明する。図１３（ａ）に示す例では、前述と同様、プリンタ１Ａのメモリ１４４に、ユーザＩＤごとの印刷可能枚数として「Ａ０２３６８」に２００枚、「Ａ３２５９２」に１５枚、「Ｂ２８２７５」に４５０枚、「Ｃ０００２３」０枚が、それぞれ記憶されている。また、プリンタ１Ｂのメモリ１４４には、ユーザＩＤごとの印刷可能枚数として、「Ｘ６２８３９」に３０枚、「Ａ０２３６８」に５０枚、が記憶されている。
【０１０３】
この状態で、図１３（ａ）に示すように、ユーザがプリンタ１Ａに別のプリンタ１Ｂを近づけてそれらのＮＦＣ通信を確立させると、図１１（ａ）と同様、図１３（ｂ）に示すように、上記指定ＩＤ（この例では「Ａ０２３６８」）の印刷可能枚数２００枚の全部がプリンタ１Ｂに移動配分される。これにより、プリンタ１Ａにおける上記指定ＩＤの印刷可能枚数は０枚となり、プリンタ１Ｂにおける上記指定ＩＤの印刷可能枚数は２５０枚となり集約される。
【０１０４】
その後、ユーザが、上記の状態からプリンタ１Ｂをプリンタ１Ａからいったん離隔させてプリンタ１Ａ，１Ｂ間のＮＦＣ通信の確立を解消後、再度プリンタ１Ｂをプリンタ１Ａに近づけてプリンタ１ＢとのＮＦＣ通信を確立させる。すると、図１３（ｃ）に示すように、プリンタ１Ｂの指定ＩＤ（この例では「Ａ０２３６８」）の印刷可能枚数２５０枚の全部が再びプリンタ１Ａに移動配分される。これにより、プリンタ１Ｂにおける上記指定ＩＤの印刷可能枚数は０枚となり、プリンタ１Ａにおける上記指定ＩＤの印刷可能枚数は２５０枚となり集約される。
【０１０５】
その後、ユーザが、上記の状態からプリンタ１Ｂをプリンタ１Ａからいったん離隔させてプリンタ１Ａ，１Ｂ間のＮＦＣ通信の確立を解消後、再度プリンタ１Ｂをプリンタ１Ａに近づけてプリンタ１ＢとのＮＦＣ通信を確立させる。すると、プリンタ１Ｂのメモリ１４４に記憶されている指定ＩＤ（この例では「Ａ０２３６８」）のＡ０２３６８の印刷可能枚数の数値「０」が読み出されプリンタ１Ｂから送信されてプリンタ１Ａで取得される。そしてその後、これに対応して、図１３（ｄ）に示すように、プリンタ１Ａの指定ＩＤの印刷可能枚数２５０枚のうち、半分の１２５枚がプリンタ１Ｂに移動配分される。これにより、プリンタ１Ｂにおける上記指定ＩＤの印刷可能枚数は１２５枚となり、プリンタ１Ａにおける上記指定ＩＤの印刷可能枚数も１２５枚となり、指定ＩＤにおけるプリンタ１Ａの印刷可能枚数とプリンタ１Ｂの印刷可能枚数が等しく同数となる。
【０１０６】
以上のように、本変形例では、プリンタ１Ａとプリンタ１Ｂどうしを離して近づける度に、指定したユーザＩＤの印刷可能枚数の集約と等分を繰り返すことができ、さらにユーザにとっての利便性を向上することができる。
【０１０７】
（５）移動配分後のプリンタで印刷可能枚数を超えて印刷を許容する場合
本変形例を図１４（ａ）〜（ｃ）に示す。図１４（ａ）に示す例では、前述と同様、プリンタ１Ａのメモリ１４４に、ユーザＩＤごとの印刷可能枚数として「Ａ０２３６８」に２００枚、「Ａ３２５９２」に１５枚、「Ｂ２８２７５」に４５０枚、「Ｃ０００２３」０枚が、それぞれ記憶されている。また、プリンタ１Ｂのメモリ１４４には、ユーザＩＤごとの印刷可能枚数として、「Ｘ６２８３９」に３０枚が記憶されている。
【０１０８】
この状態で、前述と同様にしてプリンタ１Ａとプリンタ１ＢとのＮＦＣ通信を確立させることで、図１４（ｂ）に示すように、プリンタ１Ａにおける上記指定ＩＤの印刷可能枚数のうち少なくとも一部がプリンタ１Ｂへ移動配分される。この例では、３０枚が移動した結果、プリンタ１Ａにおける指定ＩＤ（「Ａ０２３６８」）の印刷可能枚数は１７０枚となり、プリンタ１Ｂにおける上記指定ＩＤ（「Ａ０２３６８」）の印刷可能枚数が３０枚となった場合を示している。
【０１０９】
上記のようにしてプリンタ１Ｂへの印刷可能枚数が移動したことに対応し、図１４（ｃ）に示すように、ユーザの適宜の操作により操作端末２００において作成された印刷データが、操作端末２００から上記相互認識無線通信により、アクセスポイントＡＣＰを介してプリンタ１Ｂに送信される。プリンタ１Ｂは、上記送信された印刷データを受信することで、その受信した印刷データに対応した印字ラベルを印刷する。この場合、ユーザは、上記指定ＩＤ（「Ａ０２３６８」）の印刷可能枚数が３０枚となったことから、プリンタ１Ｂにおいて、所望の印字ラベルを最大３０枚印刷することができる。印字ラベルが３０枚印刷されると、図１４（ｃ）に示すように、プリンタ１Ｂのメモリ１４４に記憶されたユーザＩＤ「Ａ０２３６８」の印刷可能枚数は０枚となる（下線部参照）。
【０１１０】
しかしながらこのとき、上記指定ＩＤの印刷可能枚数はプリンタ１Ａにおいては１７０枚が残存している。そこで、本変形例においては、図１４（ｄ）に示すように、プリンタ１Ａにおける上記残存枚数１７０枚のうちのある割合の枚数（この例では１０分の１の１７枚）の印刷が、プリンタ１Ｂにおいて前述のもともとの印刷可能枚数３０枚の消費を超えて例外的に許容される。なお、上記残存枚数の値は、図１４（ｂ）に示した印刷可能枚数の移動配分時に、併せてプリンタ１Ａから送信され、プリンタ１Ｂで取得される。なお、このときの処理が、請求項記載の数値取得処理に相当している。なお、この場面においては、プリンタ１Ｂが請求項記載の印刷装置に相当し、プリンタ１Ａが他の印刷装置に相当している。上記１７枚の許容により、ユーザはプリンタ１Ｂにおいて、所望の印字ラベルをさらに１７枚印刷することができる。印字ラベルがさらに１７枚印刷された場合、図１４（ｄ）に示すように、プリンタ１Ｂのメモリ１４４に記憶されるユーザＩＤ「Ａ０２３６８」の印刷可能枚数はマイナスカウントである−１７枚となる（下線部参照）。
【０１１１】
すなわち、上述の例では、上記移動配分を行った後の印字ラベルの生成によってプリンタ１Ｂにおける指定ＩＤに係る印刷可能枚数が０となった場合であっても、上記移動配分時にある程度の印刷可能枚数が移動元のプリンタ１Ａ内に残っている。本変形例においては、そのような場合には、さらに引き続きプリンタ１Ｂにおける印刷を例外的に認めることで、柔軟な運用が可能となる。この結果、さらにユーザにとっての利便性を向上することができる。
【０１１２】
（６）Ｂｌｕｅｔｏｏｔｈ  Ｌｏｗ  Ｅｎｅｒｇｙを用いる場合
すなわち、本変形例では、上記ＮＦＣ通信に代えて、例えば通信距離が１０ｍ以下のＢｌｕｅｔｏｏｔｈ  Ｌｏｗ  Ｅｎｅｒｇｙによるブロードキャスト通信によって上記印刷可能枚が移動分配される。本変形例を図１５及び図１６を用いて説明する。
【０１１３】
本変形例におけるプリンタ１Ａ，１Ｂの機能的構成を図１５に示す。図示のように、本変形例では、プリンタ１Ａ，１Ｂは、新たに、Ｂｌｕｅｔｏｏｔｈ（ＢＴ）  Ｌｏｗ  Ｅｎｅｒｇｙ用通信部１４６と、第３アンテナ１４６ａと、を有している。なお、このＢＴ  Ｌｏｗ  Ｅｎｅｒｇｙ用通信部１４６が、本変形例における請求項記載の第１通信手段に相当する。ＢＴ  Ｌｏｗ  Ｅｎｅｒｇｙ用通信部１４６は、プリンタ１Ａ，１Ｂ同士の間で、第３アンテナ１４６ａを介して行われる、Ｂｌｕｅｔｏｏｔｈ  Ｌｏｗ  Ｅｎｅｒｇｙによるブロードキャスト通信の制御を行う。なお、このブロードキャスト通信が、本変形例における請求項記載の第１無線通信に相当する。
【０１１４】
なお、プリンタ１Ａ，１Ｂの上記以外の機能的構成と、タグカードＣ及び操作端末２００の機能的構成とは、図５と同様であり、説明を省略する。
【０１１５】
例えば、プリンタ１Ａは、図１６に示すように、上記ブロードキャスト通信によってプリンタ１Ｂとネットワーク接続が可能となっている。なお、図示の例では、上記プリンタ１Ａ，１Ｂ以外のさらなる別のプリンタ（図１６においては１つのプリンタ１Ｃを示している）が配置されている。この別のプリンタについても、上記プリンタ１Ａ，１Ｂと同一の構成及び機能を備えている。
【０１１６】
図１６に示すように、上記ブロードキャスト通信が可能なプリンタ１Ａ〜１Ｃは、上記ブロードキャスト通信の電波が届く範囲内に存在することにより、ネットワークを形成することができる。そして、プリンタ１Ａ，１Ｂ，１Ｃそれぞれは、ネットワーク管理に必要な情報を、自機と他機との間で定期的に送信する公知のアドバタイジングを実現している。プリンタ１Ａ〜１Ｃ間では、上記ブロードキャスト通信によるアドバタイジングによってデータ送受信を行うことができる。
【０１１７】
本変形例においては、詳細な説明を省略するが、上記図７のステップＳ５０、図８のステップＳ１５０、図１０のステップＳ５０Ａに相当する処理が、プリンタ１Ａ〜１Ｃのうち２つの間の上記ブロードキャスト通信により行われる。なお、この処理が、本変形例における個数移動処理に相当する。
【０１１８】
以上のように、本変形例においては、ユーザは、上記プリンタ１Ａ，１Ｂ，１Ｃ間の印刷可能枚数の移動配分を、相対的に短距離通信であるＢｌｕｅｔｏｏｔｈ  Ｌｏｗ  Ｅｎｅｒｇｙによるブロードキャスト通信で行うことができる。
【０１１９】
また、例えば１つのプリンタ（例えばプリンタ１Ａ）に対しタグカードＣがかざされることで上記指定ＩＤの指定が行われたとき、上記１つのプリンタ以外のプリンタ（例えばプリンタ１Ｂやプリンタ１Ｃ）のメモリ１４４に当該指定ＩＤに係わる印刷可能枚数が記憶されている場合もあり得る。この場合には、当該プリンタ１Ｂ，１Ｃの表示部７に対し対応する印刷可能枚数を表示させるための表示指示を、上記ブロードキャスト通信によってプリンタ１Ａからプリンタ１Ｂ，１Ｃへ送信するようにしてもよい。なお、このときの処理が、請求項記載の表示指示処理に相当する。
【０１２０】
この場合、そのブロードキャスト通信の電波が届く範囲の全プリンタ１（上記の例ではプリンタ１Ｂ，１Ｃ）において、上記指定ＩＤに係わる印刷可能枚数の最新情報を表示部７に表示することができる。この結果、例えばプリンタ１Ａ，１Ｂ，１Ｃが１カ所に揃って保管されている状態において、ユーザは、それらプリンタ１における上記表示の結果を目視でチェックすることにより、自己の印刷可能な枚数が最も多いプリンタ１を容易に選ぶことができる。
【０１２１】
（７）その他
以上の実施形態及び各変形例において、前述したように、プリンタ１Ａとプリンタ１Ｂとは同一の構成及び機能を備えている（プリンタ１Ｃも同様）。したがって、例えばプリンタ１Ａの機能及び動作として例示して説明した内容はそのままプリンタ１Ｂにおいて実現可能であり、また例えばプリンタ１Ｂの機能及び動作として例示して説明した内容もそのままプリンタ１Ａにおいて実現可能である。すなわち、請求項は、上記プリンタ１Ａを「印刷装置」とした場合にはプリンタ１Ｂを「他の印刷装置」として成立する構成及び機能を記述したものであり、上記プリンタ１Ｂを「印刷装置」とした場合にはプリンタ１Ａを「他の印刷装置」として成立する構成及び機能を記述したものである。
【０１２２】
以上では、被印字テープ１０３に所望の印刷を行って印刷物として印字ラベルを作成するプリンタ１を例にとって本発明を説明したが、これに限られない。すなわち、例えばＡ４、Ａ３、Ｂ４、Ｂ５サイズ等の通常の被印刷媒体に画像を形成したり文字を印刷したりするプリンタに対し、本発明を適用してもよい。この場合も同様の効果を得る。
【０１２３】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１２４】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【０１２５】
また、図５、図１５に示す矢印は信号の流れの一例を示すものであり、信号の流れ方向を限定するものではない。
【０１２６】
また、図７、図８、図１０に示すフローチャートは本発明を上記フローに示す手順に限定するものではなく、発明の趣旨及び技術的思想を逸脱しない範囲内で手順の追加・削除又は順番の変更等をしてもよい。
【０１２７】
また、以上既に述べた以外にも、上記実施形態や各変形例による手法を適宜組み合わせて利用しても良い。
【０１２８】
その他、一々例示はしないが、本発明は、その趣旨を逸脱しない範囲内において、種々の変更が加えられて実施されるものである。
【符号の説明】
【０１２９】
１                プリンタ
１Ａ              プリンタ
１Ｂ              プリンタ
７                表示部（表示手段）
２３              印字ヘッド（印字手段）
１０３            被印字テープ（被印字媒体）
１０８            テープ送りローラ駆動軸（搬送手段）
１４１            ＮＦＣ用通信部（第１通信手段）
１４２            通信制御部（第２通信手段）
１４３            制御回路（制御手段）
１４４            メモリ（記憶手段）
１４６            Ｂｌｕｅｔｏｏｔｈ  Ｌｏｗ  Ｅｎｅｒｇｙ用通信部（第１通信手段）
【図１】
2020049888.tif 000003
【図２】
2020049888.tif 000004
【図３】
2020049888.tif 000005
【図４】
2020049888.tif 000006
【図５】
2020049888.tif 000007
【図６】
2020049888.tif 000008
【図７】
2020049888.tif 000009
【図８】
2020049888.tif 000010
【図９】
2020049888.tif 000011
【図１０】
2020049888.tif 000012
【図１１】
2020049888.tif 000013
【図１２】
2020049888.tif 000014
【図１３】
2020049888.tif 000015
【図１４】
2020049888.tif 000016
【図１５】
2020049888.tif 000017
【図１６】
2020049888.tif 000018